(57)【特許請求の範囲】
【請求項１】
リアフレームの側板を逆Ｕ字状に折り曲げて二重側板を形成し、この二重側板の天板部と外側板部を覆うようにパネル支持体を取付けると共に、このパネル支持体に載置した液晶パネルの端縁を押さえるベゼルを天板部のベゼル固定部に固定し、液晶パネルにＣＯＦを介して接続した中継基板をパネル支持体の外側面に取付けた液晶モジュールにおいて、  上記二重側板の天板部のベゼル固定部が外側板部から外側へ突き出すように、ベゼル固定部を残して外側板部をベゼル固定部より内側の位置で下方へ折り曲げて形成し、天板部の幅とベゼルの幅を狭くしたことを特徴とする液晶モジュール。
【請求項２】
上記ベゼルが、ベゼル上板部と該上板部の一側端から下方へ折れ曲がるベゼル側板部を有し、ベゼル上板部の一側端に沿って取付部を設けたものであり、ベゼル側板部を上記ベゼル固定部の先端に近接させると共に、ベゼル上板部の取付部を上記ベゼル固定部の上方に位置させて止具で取付固定したことを特徴とする請求項１に記載の液晶モジュール。
【請求項３】
上記パネル支持体に、止具挿通孔を有し且つ上記ベゼル固定部とベゼル上板部の取付部との間に挟み込まれるスペーサ部を、一体に形成したことを特徴とする請求項１又は請求項２に記載の液晶モジュール。
【請求項４】
上記ベゼル固定部が、上記二重側板の天板部から外側へ突き出した突片にネジ孔を形成したものであり、ベゼル上板部の上記取付部が、ベゼル上板部の凹部にビス挿通孔を形成したものであって、このベゼル上板部の凹部と上記突片との間に上記パネル支持体のスペーサ部を挟み込み、上記凹部のビス挿通孔からスペーサ部の止具挿通孔を通して上記突片のネジ孔にねじ込んだビスで、上記凹部と上記スペーサ部と上記突片を固定したことを特徴とする請求項１乃至請求項３のいずれか一項に記載の液晶モジュール。
【発明の詳細な説明】
【技術分野】
【０００１】
本発明は、テレビ、パソコンその他の電子機器に組み込まれる液晶モジュールに関し、特に、ベゼルの幅を小さくして狭額縁化を可能とした液晶モジュールに関する。
【背景技術】
【０００２】
従来の大型の液晶モジュールの一例を、図５に基づいて説明する。この液晶モジュールは、リアフレーム１の側板１ａが逆Ｕ字状に折り曲げられて二重側板が形成されており、その天板部１ｂと外側板部１ｃを覆うようにパネル支持体２が取付けられている。このパネル支持体２には液晶パネル３の端縁が載置されており、この液晶パネル３にＣＯＦ（チップオンフィルム）４を介して接続された中継基板５が、パネル支持体２の外側面２ａに取付けられている。そして、この液晶パネル３の端縁を押さえるベゼル６とパネル支持体２が、ベゼル上板部６ａの取付部６ｃからパネル支持体２の隆起部２ｂを貫通して二重側板の天板部１ａのベゼル固定部（ベゼルビス止め部）１ｄにねじ込まれたビス７によって固定された構造となっており、ベゼル側板部６ｂと中継基板５との間には安全な空間距離Ｌが確保されている。
【０００３】
一方、液晶表示装置の薄型化、狭額縁化を目的として、表示パネルのアレイ基板と制御回路基板とを、可撓性を有するフレキシブル配線基板に駆動ＩＣが実装されたＴＣＰを介して接続し、ＴＣＰの可撓性により、ＴＣＰを折り曲げて制御回路基板を導光板の非光出射面側に配置し、鋭角をなしてできた空地部にＴＣＰの一部又は制御回路基板の一部を収納してフレームで保持した平面表示装置が知られている（特許文献１）
また、フレームにベゼルカバーを嵌合し、ベゼルカバーのねじ挿通孔をねじ止め孔に連通し、固定ねじの軸部をネジ挿通孔に挿通してねじ止め孔にねじ止めし、ベゼルカバー及びフレームをパーソナルコンピュータ筐体内にサイドマウント方式として固定して、狭額縁化を図った平面表示装置も知られている（特許文献２）。
【０００４】
更に、軽量化及び狭額縁化を施しても、表示セルをフレームや金属製のベゼルカバーに確実に固定することを目的として、液晶セルの上面及び下面に貼り付けられている偏光板から突出している突出部を、バックライトの縁部とフレームの載置部に対し、金属製のベゼルカバーと共にネジによって固定した平面表示装置も知られている（特許文献３）。
【特許文献１】特開２０００−３５３４１６号公報
【特許文献２】特開２００５−２４１９６４号公報
【特許文献３】特開２００２−３４１３１８号公報
【発明の開示】
【発明が解決しようとする課題】
【０００５】
しかしながら、図５に示す従来の液晶モジュールのように、リアフレーム１の二重側板の外側板部１ｃが、天板部１ｂのベゼルビス止め部１ｄより外側の位置で下方に折り曲げられて形成されていると、二重側板の天板部１ｂの幅が広くなって中継基板５がかなり外側に位置することになり、ベゼル側板部６ｂと中継基板５との間に充分な空間距離Ｌを確保しようとすれば、ベゼル上板部６ａの幅が広いベゼル６を取付けざるを得ないため、狭額縁化することが難しいという問題があった。
【０００６】
これに対し、前記特許文献１，２，３の平面表示装置はいずれも狭額縁化を図るものであるが、これらは前述した従来の液晶モジュールとは構造が全く異なる小型の平面表示装置において狭額縁化を図る技術であり、前述した従来の液晶モジュールの狭額縁化を図るために採用できるものではない。
【０００７】
尚、従来の液晶モジュールには、ベゼル上板部をビス止めしないでベゼル側板部をビス止めするように構成したものもあるが、このような液晶モジュールは、強度不足を補うために板厚の大きいベゼルや、方形枠状に一体化したベゼルを使用するため、製造コストが高くなるという問題があった。
【０００８】
本発明は上記事情の下になされたもので、その解決しようとする課題は、前述した従来の液晶モジュールを一部改造することにより、幅が狭いベゼルの取付けを可能にして狭額縁化を達成できるようにした液晶モジュールを提供することにある。
【課題を解決するための手段】
【０００９】
上記課題を解決するため、本発明に係る液晶モジュールは、リアフレームの側板を逆Ｕ字状に折り曲げて二重側板を形成し、この二重側板の天板部と外側板部を覆うようにパネル支持体を取付けると共に、このパネル支持体に載置した液晶パネルの端縁を押さえるベゼルを天板部のベゼル固定部に固定し、液晶パネルにＣＯＦを介して接続した中継基板をパネル支持体の外側面に取付けた液晶モジュールにおいて、上記二重側板の天板部のベゼル固定部が外側板部から外側へ突き出すように、ベゼル固定部を残して外側板部をベゼル固定部より内側の位置で下方へ折り曲げて形成し、天板部の幅とベゼルの幅を狭くしたことを特徴とするものである。
【００１０】
本発明の液晶モジュールにおいては、請求項２のように、上記ベゼルが、ベゼル上板部と該上板部の一側端から下方へ折れ曲がるベゼル側板部を有し、ベゼル上板部の一側端に沿って取付部を設けたものであり、ベゼル側板部を上記ベゼル固定部の先端に近接させると共に、ベゼル上板部の取付部を上記ベゼル固定部の上方に位置させて止具で取付固定することが好ましい。
【００１１】
また、本発明の液晶モジュールにおいては、請求項３のように、上記パネル支持体に、止具挿通孔を有し且つ上記ベゼル固定部とベゼル上板部の取付部との間に挟み込まれるスペーサ部を、一体に形成することが好ましい。そして、より具体的な液晶モジュールでは、請求項４のように、上記ベゼル固定部が、上記二重側板の天板部から外側へ突き出した突片にネジ孔を形成したものであり、ベゼル上板部の上記取付部が、ベゼル上板部の凹部にビス挿通孔を形成したものであって、このベゼル上板部の凹部と上記突片との間に上記パネル支持体のスペーサ部を挟み込み、上記凹部のビス挿通孔からスペーサ部の止具挿通孔を通して上記突片のネジ孔にねじ込んだビスで、上記凹部と上記スペーサ部と上記突片を固定することが好ましい。
【発明の効果】
【００１２】
本発明の液晶モジュールは、二重側板の天板部のベゼル固定部が外側板部から外側へ突き出すように、ベゼル固定部を残して外側板部をベゼル固定部より内側の位置で下方へ折り曲げて形成したものであるから、外側板部をベゼル固定より外側の位置で下方に折り曲げて形成した従来の液晶モジュールに比べると、少なくともベゼル固定部の突出寸法だけ天板部の幅が狭くなる。このように二重側板の天板部の幅が狭くなると、それに対応してベゼルの幅、即ち、ベゼル上板部の幅を狭くし、請求項２のように、ベゼル側板部を二重側板天板部のベゼル固定部の先端に近接させて、ベゼル上板部の取付部をベゼル固定部に止具で取付固定しても、二重側板の外側板部を覆うパネル支持体の外側面に取付けられた中継基板とベゼル側板部との間に充分な空間距離を確保することができるので、上記のようにベゼル上板部の幅を狭くしたベゼルをベゼル固定部に取付固定して狭額縁化を達成することができる。
【００１３】
本発明の液晶モジュールのように、リアフレームの二重側板の天板部の幅を狭くし、ベゼルの幅（ベゼル上板部の幅）を狭くして、狭額縁化すると、従来の液晶モジュールに比べて、中継基板の位置が内側へ移動するため、液晶パネルと中継基板をつなぐＣＯＦを短縮することも可能となり、その分、コストダウンを図ることができる。また、二重側板の天板部やベゼル上板部の幅を狭くした分だけリアフレームやベゼルの展開面積が減少するので、材料コストを下げることも可能となる。
【００１４】
また、請求項３のように、上記パネル支持体に、止具挿通孔を有し且つ上記ベゼル固定部とベゼル上板部の取付部との間に挟み込まれるスペーサ部を、一体に形成し、請求項４のように、ベゼル取付部であるベゼル上板部の上記凹部と、ベゼル固定部である上記突片との間に、上記パネル支持体のスペーサ部を挟み込み、上記凹部のビス挿通孔から上記スペーサ部の止具挿通孔を通して上記突片のネジ孔にねじ込んだビスで、上記凹部と上記スペーサ部と上記突片を固定すると、パネル支持体のスペーサ部でベゼル上板部の凹部を一定の高さに安定良く支持した状態のまま、ビスで３つの部品を作業性良く共締め固定することができる。
【発明を実施するための最良の形態】
【００１５】
以下、図面を参照して本発明の具体的な実施形態を詳述する。
【００１６】
図１は本発明の一実施形態に係る液晶モジュールの概略分解斜視図、図２は同液晶モジュールの概略平面図、図３は図２のＡ−Ａ線拡大断面図、図４は同液晶モジュールの要部分解斜視図である。
【００１７】
図１を参照して、この液晶モジュールの全体構成を概説すると、このものは、大画面の液晶テレビに組み込まれる大型の液晶モジュールであって、板金製の浅い箱型のリアフレーム１の内部には光反射シート８が設けられている。この光反射シート８の上には、Ｕ字型の冷陰極管９が互いに平行に複数配設され、ランプホルダー１０で支持されている。各冷陰極管９の端部にはランプソケット９ａが取付けられており、これらのランプソケット９ａは、リアフレーム１の一方の短辺の側板１ｅに沿ってリアフレーム１の底板１ｆに形成されたソケット嵌着用開口部に嵌着固定されている。
【００１８】
ランプソケット９ａが取付けられた全ての冷陰極管９の両端は、ランプソケット９ａの陰影などよる明るさのバラツキを解消するために、リアフレーム１の側板１ｅに取付けたランプフレーム８で覆われているが、冷陰極管９の反対側のＵ字状屈曲部は、該Ｕ字状屈曲部から発する光が有効利用されるように、リアフレーム１の反対側の側板１ｇに取付けられたランプフレーム１１から露出されている。
【００１９】
リアフレーム１の長辺の側板１ａ，１ｈは、いずれも逆Ｕ字状に折り曲げられて二重側板とされており、この二重側板１ａ，１ｈの上面と前記ランプフレーム１１，１１の上面には３枚の光学シート１２ａ，１２ｂ，１２ｃの四周縁が載置されている。これらの光学シートは、Ｕ字型冷陰極管９から発せられる光を拡散して液晶パネル３に均一に照射する光拡散シートであって、上２枚の光学シート１２ｂ，１２ｃは薄い光拡散シートであるが、下側の光学シート１２ａは撓みにくい厚手のパネル状の光拡散シート（光拡散板）が使用されている。
【００２０】
上記光学シート１２ａ，１２ｂ，１２ｃの長辺沿いの端縁は、リアフレーム１の長辺の二重側板１ａ，１ｈに取付けられたパネル支持体２０，２で押さえられており、このパネル支持体２０，２と、パネル支持体を兼用する前記ランプフレーム１１，１１の上には、液晶パネル（液晶セル）３の四周縁が載置されている。そして、この液晶パネル３の四周縁は、リアフレーム１の二重側板１ａ，１ｈのベゼル固定部１ｄにビス止めされる２本の長いベゼル６０，６０と、リアフレームの側板１ｅ，１ｇのベゼル固定部１ｄにビス止めされる２本の短いベゼル６１，６１で押さえられて固定されている。
【００２１】
また、液晶パネル３の一方の長辺には、ソースドライバＩＣチップを搭載したＣＯＦ（チップオンフィルム）４を介して中継基板５（Ｘ−ＰＣＢ）が接続されており、液晶パネル３の短辺には、ゲートドライバＩＣチップを搭載したＣＯＦ４ａを介して中継基板５ａ（Ｙ−ＰＣＢ）が接続されている。そして、これらの中継基板５，５ａは、上記のパネル支持体２０とランプフレーム１１の外側面に固定されている。
【００２２】
上記液晶モジュールの大きい特徴は、リアフレーム１の一方の長辺の二重側板１ａにある。即ち、この二重側板１ａは、図３，図４に示すように、その天板部１ｂのベゼル固定部１ｄが外側板部１ｃから突片として外側へ突き出し、外側板部１ｃがベゼル固定部１ｄより内側の位置で下方に折り曲げられている。この突片からなるベゼル固定部１ｄは、突片状に切込み１ｊを入れた外側板部１ｃを、該ベゼル固定部１ｄを残して下方へ折り曲げることにより形成されたものであって、このベゼル固定部（突片）１ｄには、固定用のビス７をねじ込むネジ孔１ｉが形成されている。このベゼル固定部（突片）１ｄは、図１に示すように、間隔を開けて二重側板１ａの長さ方向に複数（この実施形態では４つ）形成されている。
【００２３】
このように、二重側板１ａの外側板部１ｃをベゼル固定部（突片）１ｄより内側の位置で下方に折り曲げると、二重側板１ａの天板部１ｂの幅が、図５に示す従来の天板部１ｂの幅より、少なくともベゼル固定部（突片）１ｄの突出寸法だけ狭くなり、外側板部１ｃが内側へ偏位することになる。
【００２４】
二重側板１ａの天板部１ｂ及び外側板部１ｃを覆うように取付けられる合成樹脂製のパネル支持体２０は、従来のパネル支持体２に比べて、二重側板１ａの天板部１ｂの幅が狭くなった分だけ、パネル支持体２０の幅が縮小されている。そして、このパネル支持体２０の支持部２０ａは、従来のパネル支持体２と同様に一段高く形成されており、図３に示すように、この支持部２０ａと二重側板１ａの天板部１ｂとの間に、光反射シート８の端縁および３枚の光学シート１２ａ，１２ｂ，１２ｃの端縁が挟まれて取付けらている。
【００２５】
図３，図４に示すように、このパネル支持体２０には、上記ベゼル固定部（突片）１ｄと、ベゼル上板部６０ａに形成された取付部（凹部）６０ｃとの間に挟み込まれるスペーサ部２０ｂが外側へ突き出して一体に形成されており、このスペーサ部２０ｂにはビス７を挿通する止具挿通孔２０ｃが形成されている。また、このスペーサ部２０ｂの下面には位置決め凸部２０ｄが形成されており、この位置決め凸部２０ｄを嵌め込む位置決めスリット１ｋが上記ベゼル固定部（突片）１ｄに形成されている。このスペーサ部２０ｂも、図１に示すように、パネル支持体２０の長さ方向に前記ベゼル固定部（突片）１ｄと同じ間隔をあけて同じ数だけ形成されている。
【００２６】
パネル支持体２０の支持部２０ａには、図３に示すように液晶パネル３の端縁が載置されており、この液晶パネル３の端縁にソースドライバＩＣチップ４ｂを搭載したＣＯＦ４を介して接続された中継基板５（Ｘ−ＰＣＢ）が、パネル支持体２０の外側面２０ｅに固定されている。そして、液晶パネル３の端縁は、ベゼル上板部６０ａの端縁で押さえられて固定されている。
【００２７】
ベゼル６０は板金を曲げ加工したものであって、図３，図４に示すように、ベゼル上板部６０ａと、この上板部の一側端から下方へ折れ曲がるベゼル側板部６０ｂを備えており、ベゼル上板部６０ａの幅は、リアフレーム１の二重側板１ａの天板部１ｂの幅が狭くなったことに対応して縮小されている。そして、ベゼル上板部６０ａの一側端（ベゼル側板部６０ｂ側の側端）に沿って、凹部からなる取付部６０ｃが前記ベゼル固定部（突片）１ｄと同じ間隔で同じ数だけ形成されており、各取付部（凹部）６０ｃには、ビス７を挿通する挿通孔６０ｄが穿孔されている。
【００２８】
上記のベゼル６０は、図３に示すように、ベゼル上板部６０ａの一側端の取付部（凹部）６０ｃをパネル支持体２０のスペーサ部２０ｂの上に載置し、ベゼル側板部６０ｂを二重側板１のベゼル固定部（突片）１ｄの先端に近接させて、ビス７をベゼル上板部の取付部（凹部）６０ｃのビス挿通孔６０ｄからスペーサ部２０ｂの止具挿通孔２０ｃを通してベゼル固定部（突片）１ｄのネジ孔１ｉにねじ込むことによって固定されている。このようにすると、スペーサ部２０ｂでベゼル上板部６０ａを一定の高さに安定良く支持させて、リアフレーム１とパネル支持体２０とベゼル６０をビス７で共締め固定できるため、組立作業性が向上する。
【００２９】
この液晶モジュールは、上記のように、二重側板１ａの外側板部１ｃをベゼル固定部１ｄの内側で下方へ折り曲げて形成することによって、天板部１ｂの幅を狭くすると共に外側板部１ｃの位置を内側へ偏位させ、天板部１ｂに対応して幅を縮小したパネル支持体２０とベゼル６０を取付けても、ベゼル側板部６０ｂとパネル支持体外側面の中継基板５との間に従来と同様の充分な空間距離Ｌを確保できるようにしたため、ベゼル上板部６ａの幅を狭くした前記ベゼル６０を二重側板１ａのベゼル固定部（突片）１ｄに取付固定して狭額縁化を達成することができる。また、このように狭額縁化すると、液晶パネル３と中継基板５をつなぐＣＯＦ４を短縮することができ、二重側板１ａの天板部１ｂやベゼル上板部６０ａの幅を狭くした分だけリアフレーム１やベゼル６０の展開面積を減少させて材料の板金を節約することもでき、パネル支持体２０の幅を狭くした分だけ原料樹脂を節約することもできるので、かなりのコストダウンを達成することができる。
【００３０】
尚、リアフレーム１の上記二重側板１ａと反対側の二重側板１ｈは、従来と同様に、ベゼル固定部の外側で外側板部を下方に折り曲げているが、この二重側板１ｈに固定されるパネル支持体２には中継基板が取付けられないので、ベゼル上板部６０ａの幅が狭い前記のベゼル６０を、そのベゼル側板部６０ｂがパネル支持体２の外側面に近接した状態で固定することによって、狭額縁化を達成することができる。また、リアフレーム１の短辺の側板１ｅ，１ｇはいずれも単板であって、突片状のベゼル固定部１ｄが外側へ突設されたものであるから、ベゼル上板部６０ａの幅が狭い前記のベゼル６０を取付けて狭額縁化を達成することができる。
【図面の簡単な説明】
【００３１】
【図１】本発明の一実施形態に係る液晶モジュールの概略分解斜視図である。
【図２】同液晶モジュールの概略平面図である。
【図３】図２のＡ−Ａ線拡大断面図である。
【図４】同液晶モジュールの要部拡大分解斜視図である。
【図５】従来の液晶モジュールの部分断面図である。
【符号の説明】
【００３２】
１    リアフレーム
１ａ，１ｈ  二重側板
１ｂ  天板部
１ｃ  外側板部
１ｄ  ベゼル固定部（突片）
１ｉ  ネジ孔
２，２０  パネル支持体
２０ｂ  スペーサ部
２０ｃ  止具挿通孔
３    液晶パネル
４，４ａ  チップオンフィルム
４ｂ  ソースドライバＩＣチップ
５    中継基板
６，６０，６１  ベゼル
６ａ，６０ａ  ベゼル上板部
６ｂ，６０ｂ  ベゼル側板部
６ｃ，６０ｃ  取付部（凹部）
６０ｄ  ビス挿通孔
７    ビス（止具）
８    光反射シート
９    Ｕ字型の冷陰極管
１１  ランプフレーム
１２ａ，１２ｂ，１２ｃ  光学シート
【図１】
0004915354.tif 000002
【図２】
0004915354.tif 000003
【図３】
0004915354.tif 000004
【図４】
0004915354.tif 000005
【図５】
0004915354.tif 000006